(57)【要約】【課題】１人の作業員で引き戸の取り付けを簡単に行なうことが出来るようにする。【解決手段】１枚の引き戸本体２２の下部の車輪ユニット２４の車輪３６を、引き戸本体２２の上端が前方に位置するように傾斜させて、車輪３６の大径部３６ｂを下部のガイドレール１４の車輪案内溝１７に前部開放部１９から嵌める。その後、１つの上部の車輪ユニット２４の車輪３６の大径部３６ｂを上部のガイドレール１４の車輪案内溝１７に前部開放部１９から嵌める。そして、上部の車輪ユニット２４を図７の矢印Ｃの方向に揺動させる共に、引き戸本体２２を図７の矢印Ｄの方向に揺動させ、車輪ユニット２４を引き戸本体２２に取り付ける。【選択図】  図７
2004360191.tif 000002
【特許請求の範囲】
【請求項１】
収納庫の底板の前端面に下部のガイドレールを、その車輪案内溝が下側に位置するようにして取り付ける工程と、収納庫の天板の前端面に上部のガイドレールを、その車輪案内溝が下側又は上側に位置するようにして取り付ける工程と、引き戸本体の下部の後面左右部に下部の車輪ユニットを取り付ける工程と、下部の車輪ユニットの車輪を、引き戸本体の上端が前方に位置するように傾斜させて、下部のガイドレールの車輪案内溝に下部のガイドレールの前部開放部から嵌める工程と、上部の車輪ユニットの車輪を上部のガイドレールの車輪案内溝に上部のガイドレールの前部開放部から嵌める工程と、引き戸本体を垂直として、引き戸本体の上部の後面に上部の車輪ユニットを取り付ける工程とを有し、下部又は上部のガイドレールの前部開放部の少なくとも一方が、取り付けが完了して垂直となった車輪が、ガイドレールから外れるのを防止する大きさとなされている収納庫の引き戸の取り付け方法。
【請求項２】
収納庫の天板の前端面に上部のガイドレールを、その車輪案内溝が上側に位置するようにして取り付ける工程と、収納庫の底板の前端面に下部のガイドレールを、その車輪案内溝が下側に位置するようにして取り付ける工程と、引き戸本体の上部の後面左右部に上部の車輪ユニットを取り付ける工程と、上部の車輪ユニットの車輪を、引き戸本体の下端が前方に位置するように傾斜させて、上部のガイドレールの車輪案内溝に上部のガイドレールの前部開放部から嵌める工程と、下部の車輪ユニットの車輪を下部のガイドレールの車輪案内溝に下部のガイドレールの前部開放部から嵌める工程と、引き戸本体を垂直として、引き戸本体の下部の後面に下部の車輪ユニットを取り付ける工程とを有し、下部又は上部のガイドレールの前部開放部の少なくとも一方が、取り付けが完了して垂直となった車輪が、ガイドレールから外れるのを防止する大きさとなされている収納庫の引き戸の取り付け方法。
【発明の詳細な説明】
【０００１】
【発明の属する技術分野】
本発明は収納庫の引き戸の取り付け方法に関する。
【０００２】
【従来の技術】
まず、図１２〜図１４において、従来の方法で取り付けられた引き戸１３を有する収納庫１について説明する。
なお、この説明において、前とは図１２紙面表側を、後とは同裏側をいい、左とは図１２左側を、右とは同図右側をいう。
収納庫１は、左右幅が２４０ｃｍ前後で、高さが８４ｃｍ前後で、前後長さが２０〜３０ｃｍ前後である。
【０００３】
収納庫１は、天板３と、底板４と、天板３の左端と底板４の左端とに渡し止められた左の側板５と、天板３の右端と底板４の右端とに渡し止められた右の側板５と、天板３、底板４、左右の側板５の後部に取り付けられた背板６とを有すると共に前部に出し入れ口８を有している。
【０００４】
前記収納庫１の物品収納空間９は、左右の仕切板１０により３つに分割され、物品収納空間９には所要段の棚板１１が設けられている。前記仕切板１０の前端面は、天板３の前端面及び底板４の前端面を含む仮想垂直面内に位置している。
【０００５】
前記天板３の前端面及び底板４の前端面の各々に、左右長さが「Ｌ」であるガイドレール１４が取り付けられている。ガイドレール１４は、基部壁１５と、基部壁１５の下部に連設された、車輪案内溝１７を有する下部壁１６と、基部壁１５の上部に連設された上部壁１８とを有している。ガイドレール１４は、前部開放部１９を有している。
【０００６】
前記上下のガイドレール１４に、以下に詳述する、２枚の引き戸１３が左右動自在に案内されている。なお、云うまでもないが、引き戸１３の左右動を許容するように、収納庫１の中央部に引き戸１３が存在しないスペースが形成されている。
前記引き戸１３は、引き戸本体２２と、この引き戸本体２２の前面に取り付けられた把手２３と、引き戸本体２２の後面の４隅に取り付けられた車輪ユニット５０とを有している。図１２に示すごとく、左側の引き戸１３の把手２３は左側に設けられ、右側の引き戸１３の把手２３は右側に設けられている。
【０００７】
図１３に示すごとく、車輪ユニット５０は、ブラケット５１と、ブラケット５１に設けられた軸心を前後方向に向けた車軸３５と、この車軸３５に回転自在に設けられた車輪３６とを有している。
【０００８】
前記車輪３６は、小径部３６ａと、フランジ状の大径部３６ｂとを有している。なお、小径部３６ａはない場合もある。前記大径部３６ｂの下部が車輪案内溝１７に嵌まり、小径部３６ａの下部が下部壁１６の前縁上面に載るようになされている。
【０００９】
下部の車輪３６は以下のようにして下部のガイドレール１４に嵌められる。まず、図１６に示すように、車輪３６の上部がガイドレール１４から離れるように、車輪３６を傾斜させ、その後、前部開放部１９から大径部３６ｂの下部を車輪案内溝１７に嵌めつつ、傾斜していた車輪３６を垂直とする。この説明から明らかなごとく、前部開放部１９は上記のごとく操作された車輪３６の通過を許容する大きさとなされている。そして、車輪３６が一旦垂直状態となると、図１４に示すごとく、上部壁１８が大径部３６ｂが車輪案内溝１７から抜け出るの阻止するようになされているので、車輪３６はガイドレール１４から外れない。上部の車輪３６と上部のガイドレール１４との寸法関係は、前記した下部の車輪３６と下部のガイドレール１４との寸法関係と同様である。
【００１０】
図１５及び図１６を参照しつつ、従来の引き戸の取り付け方法を説明する。
まず、底板４の前端面に下部のガイドレール１４を、車輪案内溝１７が下側に位置するようにして取り付ける。
その後、全ての引き戸本体２２の後面の４隅に車輪ユニット５０を取り付ける。
その後、図１６に示すごとく、下部の車輪３６の大径部３６ｂを下部のガイドレール１４に前記したようにして嵌める。
その後、上部の車輪３６に上部のガイドレール１４を嵌める。その作業は以下のように行なわれる。上部のガイドレール１４の上部を車輪３６から離れるように傾斜させた後、車輪案内溝１７に大径部３６ｂの下部が嵌まるように、ガイドレール１４を車輪３６に対して位置させ、その後、上部のガイドレール１４を図１６の矢印Ａの方向に揺動させ、車輪３６とガイドレール１４の基部壁１５とが平行となるようにする。
その後、引き戸本体２２を矢印Ｂの方向に揺動させて、上部のガイドレール１４を天板３の前端面に取り付ける。
【００１１】
【従来技術の欠点】
前記従来の方法には以下の如き欠点があった。
従来の方法は、全ての引き戸本体２２の下部の車輪３６を下部のガイドレール１４に嵌め、その後、上部の車輪３６に上部のガイドレール１４を嵌め、上部のガイドレール１４を天板３の前端面に取り付けるものであったため、１人での作業が無理で、複数の作業員が共同して作業をせざるを得ないという欠点があった。
【００１２】
【前記欠点を解消するための手段】
本発明は前記欠点を解消するために以下の如き手段を採用した。
（１）請求項１の発明は、収納庫の底板の前端面に下部のガイドレールを、その車輪案内溝が下側に位置するようにして取り付ける工程と、収納庫の天板の前端面に上部のガイドレールを、その車輪案内溝が下側又は上側に位置するようにして取り付ける工程と、引き戸本体の下部の後面左右部に下部の車輪ユニットを取り付ける工程と、下部の車輪ユニットの車輪を、引き戸本体の上端が前方に位置するように傾斜させて、下部のガイドレールの車輪案内溝に下部のガイドレールの前部開放部から嵌める工程と、上部の車輪ユニットの車輪を上部のガイドレールの車輪案内溝に上部のガイドレールの前部開放部から嵌める工程と、引き戸本体を垂直として、引き戸本体の上部の後面に上部の車輪ユニットを取り付ける工程とを有し、下部又は上部のガイドレールの前部開放部の少なくとも一方が、取り付けが完了して垂直となった車輪が、ガイドレールから外れるのを防止する大きさとなされているものである。
（２）請求項２の発明は、収納庫の天板の前端面に上部のガイドレールを、その車輪案内溝が上側に位置するようにして取り付ける工程と、収納庫の底板の前端面に下部のガイドレールを、その車輪案内溝が下側に位置するようにして取り付ける工程と、引き戸本体の上部の後面左右部に上部の車輪ユニットを取り付ける工程と、上部の車輪ユニットの車輪を、引き戸本体の下端が前方に位置するように傾斜させて、上部のガイドレールの車輪案内溝に上部のガイドレールの前部開放部から嵌める工程と、下部の車輪ユニットの車輪を下部のガイドレールの車輪案内溝に下部のガイドレールの前部開放部から嵌める工程と、引き戸本体を垂直として、引き戸本体の下部の後面に下部の車輪ユニットを取り付ける工程とを有し、下部又は上部のガイドレールの前部開放部の少なくとも一方が、取り付けが完了して垂直となった車輪が、ガイドレールから外れるのを防止する大きさとなされているものである。
【００１３】
【発明の効果】
本発明は前記した如き構成によって以下の如き効果を奏する。
（１）請求項１の発明によれば、引き戸本体ごとに取り付け作業が行なえるので、１人の作業員で引き戸の取り付けを簡単に行なうことが出来る。
（２）請求項２の発明によれば、引き戸本体ごとに取り付け作業が行なえるので、１人の作業員で引き戸の取り付けを簡単に行なうことが出来る。
【００１４】
【発明の実施の形態】
以下に、２つの発明の実施の形態を説明する。
なお、これらの説明において同一の部材は同一の符号で示す。
【００１５】
［第１の実施の形態］（図１〜図７参照）
まず、図１〜図４において、第１の実施の形態方法で取り付けられた引き戸１３を有する収納庫１について説明する。なお、図１２〜図１４で示す従来の収納庫１と同一の部材は同一の符号で示す。また、この説明において、前とは図１紙面表側を、後とは同裏側をいい、左とは図１左側を、右とは同図右側をいう。
【００１６】
図２〜図４に示す、左側の引き戸１３の上部左側の車輪ユニット２４は、前後方向に貫通した、高さ方向の中間部に位置する枢軸孔３２を有する揺動ブラケット３３と、枢軸孔３２を通じて引き戸本体２２にねじ嵌められた支持ねじ３４と、揺動ブラケット３３の、枢軸孔３２を境とした上部に枢軸孔３２から水平方向に所定距離だけ離れた位置に位置するようにして設けられた軸心を前後方向に向けた車軸３５と、この車軸３５に回転自在に設けられた車輪３６と、揺動ブラケット３３の、枢軸孔３２を境として車輪３６と反対側部（下部）に形成された、左右方向に長い長孔３７（例えば、枢軸孔３２を中心とする円弧状の長孔）と、この長孔３７を通じて引き戸本体２２にねじ嵌められた固定ねじ３８とを有している。前記固定ねじ３８を緩めた状態で、揺動ブラケット３３を所定の揺動範囲で揺動させた際、固定ねじ３８の軸部は長孔３７と衝突・干渉しないようになされている。即ち、緩められた固定ねじ３８は揺動ブラケット３３の揺動を許容するようになされている。他方、固定ねじ３８を締め付けると、固定ねじ３８の頭部で長孔３７の縁部を引き戸本体２２に押し付けて、固定ねじ３８は揺動ブラケット３３を固定することが出来る。
【００１７】
なお、右側の引き戸１３の上部左側の車輪ユニット２４は、図２〜図４に示す車輪ユニット２４と同一である。各引き戸本体２２に設けられた上部の右側の車輪ユニット２４は、引き戸本体２２の左右方向中央に鏡面を左側に向けるようにして置いた鏡で左側の車輪ユニット２４を映したときに表われる像と同一の形状をしている。また、下側の車輪ユニット２４は、上下方向中央に鏡面を上側に向けるようにして置いた鏡で上側の車輪ユニット２４を映したときに表われる像と同一の形状をしている。
【００１８】
［第１の実施の形態方法］
次に、第１の実施の形態方法について説明する。
【００１９】
（第１工程）（図５参照）
収納庫１の底板４の前端面に下部のガイドレール１４を、車輪案内溝１７が下側に位置するようにして取り付ける。また、収納庫１の天板３の前端面に下部のガイドレール１４を、車輪案内溝１７が下側に位置するようにして取り付ける。そして、各引き戸本体２２の下部の後面左右部に下部の車輪ユニット２４を取り付ける。
【００２０】
（第２工程）（図６参照）
１枚の引き戸本体２２の下部の車輪ユニット２４の車輪３６を、引き戸本体２２の上端が前方に位置するように傾斜させて、車輪３６の大径部３６ｂを下部のガイドレール１４の車輪案内溝１７に前部開放部１９から嵌める。
【００２１】
（第３工程）（図７参照）
１つの上部の車輪ユニット２４の車輪３６の大径部３６ｂを上部のガイドレール１４の車輪案内溝１７に前部開放部１９から嵌める。そして、上部の車輪ユニット２４を図７の矢印Ｃの方向に揺動させる共に、引き戸本体２２を図７の矢印Ｄの方向に揺動させ、車輪ユニット２４を引き戸本体２２に取り付ける。その後、残りの上部の車輪ユニット２４の車輪３６を前記と同様に上部のガイドレール１４に嵌めた後、その車輪ユニット２４も引き戸本体２２に取り付ける。
【００２２】
残りの引き戸本体２２についても、前記第２工程及び第３工程を行なって、ガイドレール１４に取り付ける。
【００２３】
［第２の実施の形態］（図８〜図１１参照）
まず、図８において、第２の実施の形態方法で取り付けられた引き戸１３を有する収納庫１について説明する。なお、図１２〜図１４で示す従来の収納庫１と同一の部材は同一の符号で示す。第２の実施の形態方法で取り付けられた引き戸１３を有する収納庫１は、第１の実施の形態方法で取り付けられた引き戸１３を有する収納庫１と以下の点で相違するだけで、残りは同一である。
図８において、上部のガイドレール１４は、図２に示す上部のガイドレール１４と上下が逆になっている。そのため、本実施の形態では、第１の実施の形態の下部壁１６に相当する壁を上部壁１６Ａといい、第１の実施の形態の上部壁１８に相当する壁を下部壁１８Ａという。
【００２４】
［第２実施の形態方法］
次に、第２実施の形態方法について説明する。
【００２５】
（第１工程）（図９参照）
収納庫１の底板４の前端面に下部のガイドレール１４を、車輪案内溝１７が下側に位置するようにして取り付ける。また、収納庫１の天板３の前端面に上部のガイドレール１４を、車輪案内溝１７が上側に位置するようにして取り付ける。そして、各引き戸本体２２の下部の後面左右部に下部の車輪ユニット２４を取り付ける。
【００２６】
（第２工程）（図１０参照）
１枚の引き戸本体２２の上部の車輪ユニット２４の車輪３６を、引き戸本体２２の下端が前方に位置するように傾斜させて、車輪３６の大径部３６ｂを上部のガイドレール１４の車輪案内溝１７に前部開放部１９から嵌める。
【００２７】
（第３工程）（図１１参照）
１つの下部の車輪ユニット２４の車輪３６の大径部３６ｂを下部のガイドレール１４の車輪案内溝１７に前部開放部１９から嵌める。そして、下部の車輪ユニット２４を図１１の矢印Ｅの方向に揺動させる共に、引き戸本体２２を図１１の矢印Ｆの方向に揺動させ、車輪ユニット２４を引き戸本体２２に取り付ける。その後、残りの下部の車輪ユニット２４の車輪３６を前記と同様に下部のガイドレール１４に嵌めた後、その車輪ユニット２４も引き戸本体２２に取り付ける。
【００２８】
残りの引き戸本体２２についても、前記第２工程及び第３工程を行なって、ガイドレール１４に取り付ける。
【００２９】
【変形例等】
以下に変形例等について説明を加える。
（１）第１の実施の形態において、上下のガイドレール１４の少なくとも一方に、上部壁１８（車輪３６の大径部３６ｂが車輪案内溝１７から外れるのを防止する機能を有する壁）があればよい。
（２）第１の実施の形態において、上部のガイドレール１４を、上下が逆になるようにして、天板４の前端面に取り付けるようにしてもよい。
【図面の簡単な説明】
【図１】本発明の第１の実施の形態方法で取り付けられた引き戸を有する収納庫の正面図である。
【図２】図１のＩＩ−ＩＩ線拡大断面図である。
【図３】図２のＩＩＩ−ＩＩＩ線断面図である。
【図４】図１のＩＶ−ＩＶ線拡大断面図である。
【図５】第１の実施の形態方法を説明するための中間省略の要部断面図、その１である。
【図６】第１の実施の形態方法を説明するための中間省略の要部断面図、その２である。
【図７】第１の実施の形態方法を説明するための中間省略の要部断面図、その３である。
【図８】本発明の第２の実施の形態方法で取り付けられた引き戸を有する収納庫の要部断面図である。
【図９】第２の実施の形態方法を説明するための中間省略の要部断面図、その１である。
【図１０】第２の実施の形態方法を説明するための中間省略の要部断面図、その２である。
【図１１】第２の実施の形態方法を説明するための中間省略の要部断面図、その３である。
【図１２】従来方法で取り付けられた引き戸を有する収納庫の正面図である。
【図１３】図１２のＸＩＩＩ−ＸＩＩＩ線拡大断面図である。
【図１４】図１２のＸＩＩＩＩ−ＸＩＩＩＩ線断面図である。
【図１５】従来方法を説明するための中間省略の要部断面図、その１である。
【図１６】従来方法を説明するための中間省略の要部断面図、その２である。
【符号の説明】
１  収納庫
３  天板
４  底板
１３  引き戸
１４  ガイドレール
１７  車輪案内溝
２４  車輪ユニット
３６  車輪
３６ａ  小径部
３６ｂ  大径部
【図１】
2004360191.tif 000003
【図２】
2004360191.tif 000004
【図３】
2004360191.tif 000005
【図４】
2004360191.tif 000006
【図５】
2004360191.tif 000007
【図６】
2004360191.tif 000008
【図７】
2004360191.tif 000009
【図８】
2004360191.tif 000010
【図９】
2004360191.tif 000011
【図１０】
2004360191.tif 000012
【図１１】
2004360191.tif 000013
【図１２】
2004360191.tif 000014
【図１３】
2004360191.tif 000015
【図１４】
2004360191.tif 000016
【図１５】
2004360191.tif 000017
【図１６】
2004360191.tif 000018